(57)【要約】【課題】  使用者の皮膚へ刺激を付与する刺激付与部と、温度変化に基づき皮膚の冷却を行う変温部とを別途独立させて適切に配置し、刺激付与部から皮膚への刺激付与とは別に効率よく皮膚を冷却できると共に、使用者の皮膚への過剰な刺激を抑えられる美容装置を提供する。【解決手段】  複数の刺激付与部と、刺激付与部間で温度を変化させる変温部が配設され、使用者の皮膚に複数の刺激付与部を接触させて、皮膚に所定の刺激を与える際に、刺激付与部間の変温部も刺激付与部の接触部位とは異なる部位の皮膚に接近又は接触状態となり、変温部の温度が接近又は接触する皮膚に影響を及ぼすことから、温度変化に基づく皮膚の冷却を、刺激付与部の接触部位とは異なる部位の皮膚に実行して、冷却と直接的な刺激が皮膚の刺激付与部接触部位へ集中するのを防止し、違和感や不快感を抑えつつ、皮膚に刺激等を効率よく伝えてその効果を適切に与えられる。【選択図】  図１
2015029844.tif 000002
【特許請求の範囲】
【請求項１】
使用者により保持される保持部と、当該保持部と一体に配設され、美容に係る所定の刺激を使用者の皮膚に付与可能な刺激付与部とを備え、当該刺激付与部を使用者の皮膚に接触させて、使用者の皮膚に対し前記所定の刺激を与える美容装置において、
温度変化を生じる変温部を備え、
前記刺激付与部が、相互に離隔させて複数配設され、
前記変温部が、少なくとも二つの前記刺激付与部に挟まれた中間の領域に配設され、
前記中間の領域を挟む複数の刺激付与部を使用者の皮膚表面に接触させている状態で、刺激付与部の間で使用者の皮膚表面に接近又は接触する前記変温部が、使用者周囲の気温とは異なる所定温度に一又は複数回変化し、使用者の皮膚を少なくとも冷却することを
特徴とする美容装置。
【請求項２】
前記請求項１に記載の美容装置において、
前記変温部が、前記中間の領域を挟む複数の刺激付与部における、使用者の皮膚表面に接触させる部位に対して、奥まった位置に配設されることを
特徴とする美容装置。
【請求項３】
前記請求項１又は２に記載の美容装置において、
前記中間の領域を挟む複数の刺激付与部が、中間の領域を挟む両側で極性の異なる一又は複数対の電極とされ、所定の電源部と接続されて、前記複数の刺激付与部間に生体が介在すると微弱電流が流れる通電状態に移行可能とされてなり、刺激付与部の接触した部位の間の皮膚に対し通電による刺激を与えることを
特徴とする美容装置。
【発明の詳細な説明】
【技術分野】
【０００１】
本発明は、使用者の皮膚に対し所定の美容に係る効果を与える美容装置に関する。なお、本発明で美容効果を与える対象としての「皮膚」と共に用いる「肌」の語は、体表面のみでなく皮下脂肪等の皮下組織を含む体表層の「皮膚」と同義のものとして扱っている。また、本発明で皮膚に刺激を付与する「刺激付与部」は、接触などの、皮膚において一般的な意味での刺激を与えるものを指す他、微弱電流の皮膚への通電のように、外部から付与されても人が自覚できない強度の外部から皮膚への作用、を生じさせるものも、ローラのように圧力を皮膚に対し意図的に与える機構を伴うものであれば、「刺激付与部」に含まれるものとする。
【背景技術】
【０００２】
使用者の顔等の肌（皮膚）に対し所定の美容・美肌に係る各種動作を実行する美容装置は、家庭で用いられる簡易な単機能、低出力のものから、業務用として用いられる多機能、高出力のものまで、様々な種類のものが利用されている。こうした美容装置のうち、家庭等で用いられる簡易なものとしては、皮膚を冷したり加熱したりするもの、皮膚に対し吸引を行うもの、皮膚にスチームやミストを当てるもの、皮膚に光を照射するもの、皮膚に超音波による振動を伝えるもの、皮膚に微弱電流を流してイオン導入（イオントフォレーシス）を行うもの、あるいは、皮膚に微弱電流を流して微細な汚れを除去（クレンジング）するものなどが一般的に使用されている。
【０００３】
このうち、皮膚に微弱電流を流す、すなわち通電を行うものにおいて、通電状態で皮膚に接触する電極部分の温度を変化させ、皮膚に温感又は冷感を与えられるものが知られている。こうした従来の美容機器の一例として、特開２００２−３４５９７６号公報に開示されるものがある。
【先行技術文献】
【特許文献】
【０００４】
【特許文献１】特開２００２−３４５９７６号公報
【発明の概要】
【発明が解決しようとする課題】
【０００５】
従来の美容装置は前記特許文献に示される構成となっており、この装置では、皮膚にイオン導入等をもたらすための通電と共に、通電用の電極を冷却する仕組みとなっている。使用の際には、通常、装置本体部から突出した電極を、顔など美容対象の皮膚に当てた上で、皮膚に対し通電したり、電極を冷却して皮膚に冷感を与える操作を使用者が行うこととなる。
【０００６】
こうした従来の装置では、皮膚に対しイオン導入等のための通電を行うと共に、冷感を付与する場合、温度を変化させた電極を皮膚に当接させることから、皮膚には通電に伴う刺激と共に、体温と温度差のある電極の感触が冷たさ（冷感）として加わるなど、直接的な刺激が皮膚の電極接触部位へ集中することとなる。その分、電極の皮膚への接触開始の際に、使用者に電極と体温との温度差の分、違和感や不快感を与えやすくなるという課題を有していた。
【０００７】
また、皮膚に接する電極は、皮膚の温度の影響を受けての温度変化も生じやすいことから、冷感を与えられる電極の温度を維持するためには、電極に対し冷却を継続して行わなければならず、電極に付随する通電のための機構に加えて、通電の影響を受けることなく安全に電極を冷却する機構を必要とし、電極とその周辺の機構が複雑になってしまうという課題を有していた。そして、電極を冷却する単純な機能の割に複雑化して熱の伝わりがよくない機構に対し、電力など冷却用のエネルギーを投入せざるを得ず、且つ通電のための機構側への熱伝導も無視できないことで、冷却効率も低くなってしまうという課題を有していた。
【０００８】
本発明は前記課題を解消するためになされたもので、使用者の皮膚へ美容に係る刺激を付与する刺激付与部と、温度変化に基づき皮膚の冷却を行う変温部とを別途独立させて適切に配置し、刺激付与部から皮膚への刺激付与とは別に効率よく皮膚を冷却できると共に、使用者の皮膚への過剰な刺激を抑えられ、美容に係る効果を最大限得られるようにする美容装置を提供することを目的とする。
【課題を解決するための手段】
【０００９】
本発明の開示する美容装置は、使用者により保持される保持部と、当該保持部と一体に配設され、美容に係る所定の刺激を使用者の皮膚に付与可能な刺激付与部とを備え、当該刺激付与部を使用者の皮膚に接触させて、使用者の皮膚に対し前記所定の刺激を与える美容装置において、温度変化を生じる変温部を備え、前記刺激付与部が、相互に離隔させて複数配設され、前記変温部が、少なくとも二つの前記刺激付与部に挟まれた中間の領域に配設され、前記中間の領域を挟む複数の刺激付与部を使用者の皮膚表面に接触させている状態で、刺激付与部の間で使用者の皮膚表面に接近又は接触する前記変温部が、使用者周囲の気温とは異なる所定温度に一又は複数回変化し、使用者の皮膚を少なくとも冷却するものである。
【００１０】
このように本発明の開示によれば、美容に係る刺激を皮膚に与える複数の刺激付与部と、刺激付与部間で温度を変化させる変温部が配設され、使用者の皮膚に複数の刺激付与部を直接又は介在物を介して接触させて、この接触部位の皮膚に所定の刺激を与える際に、刺激付与部間の変温部も刺激付与部の接触部位とは異なる部位の皮膚に接近又は接触状態となり、変温部の変化した温度状態が接近又は接触する皮膚に影響を及ぼすことにより、変温部の温度変化に基づく皮膚の冷却を、刺激付与部の接触部位とは異なる部位の皮膚に実行して、皮膚の冷却等と直接的な刺激付与が皮膚の刺激付与部接触部位へ集中するのを防止し、刺激付与部の刺激を受ける際の皮膚における、刺激付与部と皮膚との温度差に基づく違和感や不快感を抑えつつ、皮膚に刺激付与部からの刺激と共に変温部の温度変化に基づく作用を効率よく加えてその効果を適切に与えられる。また、複数の刺激付与部を単に皮膚に接触させるだけで、刺激付与部からの刺激の付与と変温部の温度変化に伴う影響の付加がなされることとなり、装置の取扱いも容易に行える。
【００１１】
また、本発明の開示する美容装置は必要に応じて、前記変温部が、前記中間の領域を挟む複数の刺激付与部における、使用者の皮膚表面に接触させる部位に対して、奥まった位置に配設されるものである。
【００１２】
このように本発明の開示によれば、複数の刺激付与部に挟まれる配置となる変温部を、刺激付与部のうち皮膚表面に接触する部位より奥まった位置とし、複数の刺激付与部を皮膚に接触させると、変温部は奥まった配置のため、刺激付与部と比べて皮膚に対しより軽く接触又は接触しない状態となることにより、変温部と皮膚との間で熱が伝わりにくい分、変温部による皮膚の冷却が穏やかとなり、変温部の変化した温度状態が皮膚にソフトな冷感として与えられることとなり、こうした変温部の温度変化に伴う影響が、変温部と皮膚との温度差による違和感や不快感を伴うことなく皮膚に伝えられる。また、変温部が皮膚と接触した場合でも弱い接触となり、熱の伝わりが緩慢となることから、変温部の温度が皮膚の熱の影響を受ける度合いも小さくなり、変温部を適切な温度に維持しやすく、温度維持のために投入するエネルギー量を抑えて、変温部を使用する際の装置稼働時間をより長くすることができる。
さらに、変温部が奥まった配置とされることで、使用中に意図せず変温部が皮膚に対し適切でない物理的刺激を与えることもなく、変温部が皮膚を擦って皮膚の炎症などをもたらす事態を招きにくい。
【００１３】
また、本発明の開示する美容装置は必要に応じて、前記中間の領域を挟む複数の刺激付与部が、中間の領域を挟む両側で極性の異なる一又は複数対の電極とされ、所定の電源部と接続されて、前記複数の刺激付与部間に生体が介在すると微弱電流が流れる通電状態に移行可能とされてなり、刺激付与部の接触した部位の間の皮膚に対し通電による刺激を与えるものである。
【００１４】
このように本発明の開示によれば、電極とされる複数の刺激付与部が変温部を挟んで配設され、複数の刺激付与部を皮膚に接触させると、皮膚を介して電極である刺激付与部間で通電状態となると共に、中間の領域にある変温部の接近又は接触する皮膚が、変温部で冷却されることにより、皮膚を冷やして皮膚に冷感を与えつつ通電による刺激を与えられ、冷却で導電性等を変化させた皮膚に通電を行い、効率よく皮膚に対し通電の効果を与えて皮膚を活性化させられると共に、冷却による鎮静作用で、人によっては皮膚への通電に伴って生じる痛みやかゆみ等の不快感や皮膚表面の炎症を緩和できる。また、通電による刺激の付与と共に皮膚の冷却がなされることで、皮膚直下の筋肉の緊張を効率よく緩和でき、特に顔等でたるみのない筋状態を得ることができる。さらに、皮膚への通電と皮膚の冷却の実行が、電極である複数の刺激付与部を皮膚に接触させるようにすれば可能であり、使い勝手も優れる。
【図面の簡単な説明】
【００１５】
【図１】本発明の一実施形態に係る美容装置の斜視図である。
【図２】本発明の一実施形態に係る美容装置の正面図である。
【図３】本発明の一実施形態に係る美容装置の背面図である。
【図４】本発明の一実施形態に係る美容装置の右側面図である。
【図５】本発明の一実施形態に係る美容装置の平面図である。
【図６】本発明の一実施形態に係る美容装置のブロック図である。
【図７】本発明の一実施形態に係る美容装置における傾動腕部傾動状態の斜視図である。
【図８】本発明の一実施形態に係る美容装置におけるローラ部及び冷却部の皮膚接触状態説明図である。
【図９】本発明の一実施形態に係る美容装置におけるローラ部及び冷却部の皮膚上での移動状態説明図である。
【発明を実施するための形態】
【００１６】
以下、本発明の一実施形態に係る美容装置を前記図１ないし図９に基づいて説明する。
前記各図において本実施形態に係る美容装置１は、使用者により保持される本体部１１と、この本体部１１と一体に配設され、美容に係る所定の刺激を使用者の皮膚に付与可能な刺激付与部としてのヘッド部１２及びローラ部１６、１７と、所定の間隔をなす二つのローラ部１６、１７間に配設される変温部としての冷却部１８と、各電極への通電や冷却部１８の冷却状態を制御する制御部１９とを備える構成である。
【００１７】
前記本体部１１は、ヘッド部１２が一端に配設される一方、他端側所定長さ範囲は使用者が使用時に手で把持して装置全体を保持するのに適した太さの把持部１１ａを形成されてなり、この把持部１１ａの長手方向とヘッド部１２の正面方向とが所定角度分傾いた形状として形成され、また、内部には前記制御部１９等の電気回路や電源としての電池（図示を省略）を配設される構成である。また、本体部１１のヘッド部１２近傍の所定部位には傾動腕部１３が傾動可能に配設される構成である。
【００１８】
本実施形態に係る美容装置１の刺激付与部のうち、ヘッド部１２は、使用者により把持される本体部１１の端部に固定配設されて皮膚７０に対するイオン導入等に用いられる。また、ローラ部１６、１７は、本体部１１に対し傾動可能とされた傾動腕部１３の先端部に、それぞれ回動可能として所定間隔で配設され、二つのローラ部間で皮膚７０を介した通電状態を得るためのものである。
【００１９】
本体部１１における、ヘッド部１２の正面側に近い方の把持部１１ａ正面側には、使用者の入力操作を受けて美容に係る作動のＯＮ、ＯＦＦや作動の種類、強弱等を切換える操作部１１ｂが配設される。そして、把持部１１ａ側面には、導電性部材からなり制御部１９と接続されたイオン導入用の補助電極部１４が配設され、使用者が把持部１１ａを把持するとその手指と補助電極部１４とが接触することとなる。
【００２０】
さらに、本体部１１におけるヘッド部１２の周囲には、ヘッド部１２に対してコットンパフ等の多孔質被覆体を保持するリング状の保持部（図面を省略）が着脱可能とされる。なお、この本体部１１には、バイブレータ等の振動源を内蔵して、ヘッド部１２やローラ部等の使用の際に皮膚７０に振動を付加可能とすることもできる。
【００２１】
前記操作部１１ｂには、電源のＯＮ、ＯＦＦを切替える電源スイッチ１５ａの他、美容に係る作動の種類を切替えるモード切替スイッチ１５ｂ、通電電流の強弱を切換える強弱切替スイッチ１５ｃ等が配設される。
【００２２】
前記ヘッド部１２は、金属等の導電性を有する材質からなり、皮膚７０に面接触可能な緩やかな曲面からなる略楕円錐台形状とされ、頂面側を先端として本体部１１の一端部正面側から突出させて配設される構成であり、イオン導入等に際して、皮膚７０に直接、又は多孔質被覆体を介して接触させて用いるものである。ヘッド部１２は、本体部１１内で制御部１９と電気的に接続されており、把持部１１ａにある補助電極部１４との間で使用者の体を介して通電可能とされる。
【００２３】
ヘッド部１２を用いてイオン導入等を行う場合には、使用者が把持部１１ａを持って使用者の掌や手の指等と補助電極部１４とを接触させ、また制御部１９によりヘッド部１２と補助電極部１４間に電圧が加えられて通電が起こり得る状態とされた上で、使用者がヘッド部１２を直接、又は、電解質成分を含む化粧水等の液剤が含浸した多孔質被覆体を介して、顔等の皮膚７０に接触させ、ヘッド部１２と補助電極部１４とを使用者の体を介した通電状態とする。
【００２４】
ヘッド部１２の接する皮膚７０への通電に伴って、あらかじめ皮膚表面に塗布したか、多孔質被覆体に染込ませたかした化粧水等の液剤中に含まれるイオン性の有効成分を、制御部１９からの電流に基づくイオン移動によって皮膚内部に導入するイオン導入（イオントフォレーシス）を実行できる。また、皮膚７０のクレンジングとして、帯電した老廃物等の汚れ成分を通電により皮膚側からヘッド部１２側に移行させ、ヘッド部表面に保持した多孔質被覆体に取込む状態を得ることもできる。こうしたイオン導入やクレンジングの手法自体は公知のものであり、詳細な説明を省略する。
【００２５】
前記傾動腕部１３は、本体部１１におけるヘッド部１２のある一端部に傾動可能に取付けられる略腕状部材であり、傾動の中心から離れた端部に前記冷却部１８及びローラ部１６、１７を取付けられる構成である。
この傾動腕部１３については、冷却部１８における温度変化の影響が、熱伝導によりローラ部１６、１７に直接及ぶことのないように、熱を伝えにくい素材製とするのが好ましい。
【００２６】
このような傾動腕部１３にローラ部１６、１７と冷却部１８が配設され、傾動腕部１３の本体部１１に対する傾動でローラ部１６、１７と冷却部１８の向き調整の自由度を高めることで、より確実に皮膚７０の所望の部位にローラ部１６、１７と冷却部１８を対向させられ、温度変化に基づく皮膚冷却の本来の効果を正しく発揮させられると共に、本体部１１と傾動腕部１３の位置関係を調整できることで、使用者の装置を持つ姿勢が無理なく使用を続けられるものとなり、使い勝手を大きく向上させられる。
【００２７】
前記ローラ部１６、１７は、二つの導体製の回転対称体であり、傾動腕部１３の傾動中心部分から離れた先端側に皮膚７０と接触可能に露出し、且つ互いに平行をなす軸を中心にそれぞれ転動可能に配設され、極性の異なる一対の電極をなす構成である。各ローラ部１６、１７は、皮膚７０と接触している状態で、制御部１９によりローラ部１６、１７間を通電状態とされる。また、ローラ部１６、１７は複数の凹凸を有する外形とされており、ローラ部１６、１７を皮膚に当てながら転動させると、皮膚７０への押圧が断続的に生じて、指で皮膚７０を繰り返し軽く叩くような、いわゆるタッピングマッサージのような刺激を与えられる仕組みである。
【００２８】
このローラ部１６、１７は、金属等の導電体で形成するほか、ゴム等の弾性体表面に金属等の導体を貼付けたり導体の薄膜を配置して形成した構造とすることもできる。そして、各ローラ部１６、１７は、傾動腕部１３内に設けられた導線を介して本体部１１内側の制御部１９と電気的に接続される。
【００２９】
なお、刺激付与部であるヘッド部１２やローラ部１６、１７と皮膚７０との接触とは、本来、これら刺激付与部が皮膚に直接接触する場合のみを指すが、刺激付与部が多孔質被覆体等の介在物を介して皮膚に接触する状態、すなわち、厳密には刺激付与部は皮膚に近付くのみで接触していない状態についても、直接接触の場合と同様に皮膚に刺激を与える状態が得られることから、直接接触と特に区別はせず、接触の範疇に含まれるものとする。
【００３０】
前記冷却部１８は、傾動腕部１３における二つのローラ部１６、１７間の領域に、ローラ部１６、１７より奥まった配置とされて固定され、二つのローラ部１６、１７を皮膚７０に押し付け接触させると、この冷却部１８も皮膚７０に接触可能となる構成である。冷却部１８の冷熱源自体は、公知のペルチェ素子を用いたものであり、詳細な説明を省略する。
【００３１】
この冷却部１８は、熱伝導性を有する金属等の表面材で覆われた状態で、制御部１９による温度制御の下、使用者周囲の気温より低い所定の温度状態となって、接触した使用者の皮膚７０を冷却し、使用者に冷感を与えることとなる。冷却部１８は、ローラ部１６、１７同様、傾動腕部１３内に設けられた導線を介して本体部１１内側の制御部１９と電気的に接続される。
【００３２】
なお、冷却部１８をなすペルチェ素子は、冷却使用の際、放熱側の温度が上昇するため、放熱を促すための機構を併設しているが、冷却使用の長時間化等により放熱が間に合わなくなり、素子の許容可能な最高温度に達した場合には、制御部１９により冷却部１８の冷却に係る作動は、安全のため停止する仕組みである。
【００３３】
ローラ部１６、１７による通電及び冷却部１８からの冷却を行う際は、傾動腕部１３を傾動させて冷却部１８及びローラ部１６、１７をヘッド部１２正面に位置させ、ローラ部１６、１７を皮膚７０に接触可能な状態とする（図１、図２、図３、図４、図５参照）。一方、イオン導入など、ローラ部１６、１７による通電及び冷却部１８での冷却を行わない場合には、傾動腕部１３を傾動させてローラ部１６、１７及び冷却部１８をヘッド部１２正面からずらし、ヘッド部１２を開放状態とすれば、ヘッド部１２を多孔質被覆体で覆ったり皮膚７０に接触させたりすることができる（図７参照）。
【００３４】
前記制御部１９は、本体部１１に内蔵され、使用者の操作部１１ｂへの入力操作を受けて、ヘッド部１２と補助電極部１４間の通電や、対をなすローラ部１６、１７間の通電、及び冷却部１８における冷却を、それぞれ制御するものである。
制御部１９は美容用途ごとに各部の作動モードを設定しており、本実施形態においては、皮膚に蓄積している有害成分や老廃物を除去するクレンジングモード、皮膚の深部に化粧水等の有効成分を浸透させるイオン導入モード、及び、皮膚を活性化して乳液やクリームの定着、浸透を図るローラ通電及び冷却モード、の三つがある。
【００３５】
クレンジングモードとイオン導入モードでは、制御部１９はヘッド部１２と補助電極部１４間を通電状態とする。ローラ通電及び冷却モードでは、対をなすローラ部１６、１７間を通電状態とし、且つ冷却部１８を作動させてその温度を低下させる。
【００３６】
これら各モードの切替えは、操作部１１ｂのモード切替スイッチ１５ｂに対する使用者の入力操作に基づいて行われる。美容装置１の電源投入直後、使用者が最初にモード切替スイッチ１５ｂを操作すると、制御部１９は複数のモードのいずれかを実行可能な状態となる。
【００３７】
また、制御部１９は、各モードに対応してヘッド部１２と補助電極部１４間、又はローラ部１６、１７間をそれぞれ通電状態とする場合に、この通電により使用者の皮膚を流れる電流の強さの調整を行うようにしてもよい。この場合、調整は操作部１１ｂに別途設けられる強弱切替スイッチ１５ｃに対する使用者の入力操作に基づいて行われることとなる。
【００３８】
なお、ローラ通電及び冷却モードへの切替にあたっては、傾動腕部１３の傾動により作動するスイッチを設け、使用者が傾動腕部１３を傾動させてヘッド部１２の正面側にローラ部１６、１７と冷却部１８を位置させると、前記スイッチの作動に伴って制御部１９が装置の作動モードをローラ通電及び冷却モードに切替える構成とすることもでき、傾動腕部１３を動かした後の操作部１１ｂにおける操作の手間を省くことができ、使い勝手を向上させられる。
【００３９】
次に、本実施形態に係る美容装置の美容に係る作動状態について説明する。前提として、使用者が美容装置１の把持部１１ａを持ってヘッド部１２又はローラ部１６、１７を、使用したい皮膚の部位に向けられる状態にあるものとする。そして、使用者により美容装置１が電源を投入されて起動し、さらにモードを選択入力されれば、制御部１９は各モードの実行を開始可能な状態であるものとする。
【００４０】
ヘッド部１２を用いるクレンジングやイオン導入を行う場合には、使用者はあらかじめ傾動腕部１３を傾動させてローラ部１６、１７及び冷却部１８をヘッド部１２正面からずらし、ヘッド部１２を皮膚７０に接触可能な開放状態としておく（図７参照）。そして、クレンジングの場合は電解質成分を含んだふき取り用化粧水等を、イオン導入の場合は電解質成分を含んだ保護化粧水等を、直接皮膚に塗布するか、コットンパフ等の多孔質被覆体に染みこませてヘッド部１２上にこの多孔質被覆体を保持した状態とする。
【００４１】
使用者が、操作部１１ｂを操作してクレンジングモード又はイオン導入モードを選択すると、制御部１９はヘッド部１２と補助電極部１４間に短い周期でパルス状の微弱電流を流す通電状態の開始を可能とする。ただし、ヘッド部１２を皮膚７０から離している状態では、ヘッド部１２と補助電極部１４間が体を介して閉じた回路となっていないため、通電はない。
【００４２】
使用者が、保持する美容装置１を動かし、ヘッド部１２を直接、又は多孔質被覆体を介して皮膚７０に接触させると、ヘッド部１２と補助電極部１４とが、使用者の体と、あらかじめ皮膚表面に塗布したか、多孔質被覆体に染込ませたかした化粧水を介した通電状態となる。クレンジングの場合には皮膚表面や内部の帯電した微細な汚れ成分を皮膚側から多孔質被覆体側に移行させて皮膚の汚れを除去でき、また、イオン導入の場合には化粧水中のイオン性の有効成分を皮膚側へ移行させて皮膚内への有効成分浸透が図れる。
【００４３】
使用者がヘッド部１２を皮膚７０に接触させたまま皮膚上で少しずつ移動させると、通電状態のままクレンジングやイオン導入の対象位置を変えられる。ただし、ヘッド部１２を皮膚７０から離すと、直ちに通電は中断する。クレンジングやイオン導入を完全に終える場合は、使用者が操作部１１ｂで作動モードを他に切替えるか電源をＯＦＦ状態とすればよい。この他、クレンジングやイオン導入としてあらかじめ設定された時間が過ぎると、制御部１９が通電を停止させるようにしてもよい。これらのモードの終了後、使用者は、多孔質被覆体を用いた場合はこれをヘッド部１２から取り除いた上で、ヘッド部１２表面を清浄化し、次の使用に備えるようにするのが望ましい。
【００４４】
一方、冷却しながらのローラ通電を行う場合には、使用者はあらかじめ傾動腕部１３を傾動させて、ヘッド部１２の正面側にローラ部１６、１７と冷却部１８が位置し、ローラ部１６、１７が皮膚に接触可能な状態とする（図１、図４参照）。同時に、皮膚に乳液又はクリームを付けてなじませた状態とする。
【００４５】
使用者が操作部１１ｂを操作してローラ通電及び冷却モードを選択すると、制御部１９は対をなすローラ部１６、１７間に短い周期でパルス状の微弱電流を流す通電状態の開始を可能とする。ただし、ローラ部１６、１７を皮膚７０から離している状態では、ローラ部１６、１７間が皮膚７０を介して閉じた回路となっていないため、通電はない。
【００４６】
ローラ部１６、１７を皮膚７０に接触させると（図８参照）、対をなすローラ部１６、１７間において皮膚７０を介した通電状態となる。また、この通電状態の検知に伴い、制御部１９は冷却部１８を作動させて周囲の気温より低い所定温度に移行させる。通電状態への移行により、皮膚７０に通電による刺激が加わり、皮膚７０を活性化して乳液やクリームの浸透を促すこととなる。また、皮膚７０はローラ部１６、１７より奥に位置する冷却部１８と、ローラ部の場合と比べ弱い接触圧で軽く接触し（図８参照）、周囲より低い温度に変化した冷却部１８との接触により皮膚７０は熱を奪われ、温度が低下して冷感が生じることとなる。ローラ部１６、１７が皮膚に接触してから、冷却部１８が作動してその温度を低下させることに加え、奥まった配置の冷却部１８が皮膚７０と軽く接触しているため、このモードでの冷却使用期間全体にわたり、皮膚での冷感を穏やかなものとすることができる。
【００４７】
また、ローラ部１６、１７が皮膚７０に接触して通電が開始してから、冷却部１８の作動が開始し、冷却部１８の温度が下がるようにしていることで、皮膚に接触していない間に冷却部１８が無駄に冷却を実行することが無く、冷却部をなすペルチェ素子の温度上昇を起こりにくくして、冷却を伴う装置使用時間の長時間化が図れる。
【００４８】
冷却部１８が直接接触する部位以外の、皮膚７０の例えばローラ部１６、１７と接触する領域でも、血行等により間接的に冷却部１８の影響が及び、温度低下が生じる。こうして、冷却部１８と接する部位及びその周囲の皮膚７０が冷却され温度を低下させることにより、皮膚７０が引き締まり、皮膚７０を介した通電の効果を高めることとなる。
【００４９】
なお、冷却部１８の冷却状態における外気温より低下させた温度は、周囲の状況に関わりなくあらかじめ設定された目標温度に維持するよう制御するのが、制御を簡略化できコスト面で好ましいが、温度センサを設けて外気温を測定し、測定値に基づいて制御部で冷却状態の温度を外気温に応じて変えるように制御する構成とすることもできる。この場合、外気温が高い場合など単純に当初設定の目標温度まで下げると過度に冷却された状態となって不快感につながるような状況においては、冷却部の温度低下の度合いを抑える、例えば外気温と冷却部との温度差を一定に維持するように制御してもよく、結果として、冷却部と皮膚との過剰な温度差を緩和して、皮膚が冷却部に触れた際の違和感や不快感を抑制できる。また、厳冬期など外気温が低い状況では、例えば、冷却部の外気温に対する温度変化を、使用者が冷たさを感じられる必要最小限にとどめるなど、外気温が高い時と比べ冷却を抑制するように制御してもよく、必要以上の冷却を行わないことで冷却に係るエネルギー消費を抑えられ、装置使用時間をより長時間化できる。
【００５０】
ローラ部１６、１７を皮膚７０に接触させたまま転動させて皮膚表面上で少しずつ移動させると（図９参照）、通電及び冷却の対象位置を変えられると共に、ローラ部１６、１７の凹凸の皮膚７０への接触状態が変わることによるマッサージ様の刺激も加わることとなる。特に、冷却部１８と直前まで接して冷却で引き締められた皮膚の部位に新たにローラ部のいずれかが接触による刺激を与えることで、より一層マッサージ効果を高められる。同様に、皮膚におけるローラ部１６、１７のいずれかと直前まで接していた部位に、ローラ部１６、１７の移動後、冷却部１８が接触して新たに冷却を行っていく。
【００５１】
冷却部１８は皮膚側から見てローラ部１６、１７より奥まった位置にあり、ローラ部１６、１７を移動させる際、二つのローラ部１６、１７の皮膚７０に接する各先端部分を共通に含む仮想面に対し、冷却部１８は皮膚側から見てより遠い側に位置して、皮膚に向かい合うことから、冷却部１８の皮膚への接触圧はローラ部１６、１７に比べ極めて弱いものとなり、冷却部１８の移動に伴う皮膚の擦れはほとんど生じにくく、冷却部１８による意図しない皮膚の擦れの影響を確実に小さくでき、皮膚に対する刺激としては、あらかじめ適切なものとなるよう設定されたローラ部による刺激が専ら付与されることとなる。
【００５２】
ローラ部１６、１７を皮膚７０から離すと、直ちにローラ部間の通電が中断する。通電及び冷却を完全に終える場合、使用者は操作部１１ｂで機能を他に切替えるか電源をＯＦＦ状態とすれば、ローラ部１６、１７間の通電と冷却部１８における冷却が停止する。この他、ローラ通電としてあらかじめ設定された時間が過ぎると、制御部１９が通電及び冷却を停止させるようにしてもよい。使用の後、使用者はローラ部１６、１７及び冷却部１８表面を清浄化し、次の使用に備えるようにするのが望ましい。
【００５３】
このように、本実施形態に係る美容装置は、美容に係る刺激を与える複数の刺激付与部としてのローラ部１６、１７と、これらローラ部１６、１７間で温度を変化させる変温部としての冷却部１８が配設され、使用者の皮膚に二つのローラ部１６、１７を接触させて、この接触部位の皮膚に所定の刺激を与える際に、刺激付与部間の冷却部１８もローラ部１６、１７の接触部位とは異なる部位の皮膚に接近又は接触状態となり、冷却部１８の変化した温度状態が接近又は接触する皮膚に影響を及ぼすことから、温度変化に基づく皮膚冷却を、ローラ部１６、１７の接触部位とは異なる部位の皮膚に実行して、皮膚の冷却と直接的な刺激付与が皮膚のローラ部接触部位へ集中するのを防止し、ローラ部１６、１７の刺激を受ける際の皮膚とローラ部との温度差に起因する違和感や不快感を抑えつつ、皮膚にローラ部１６、１７からの刺激の付与と共に冷却部１８の温度変化に基づく皮膚の冷却を長時間安定的に行ってその効果を適切に与えられる。また、冷却部１８が接近又は接触する部位を含む皮膚を介して、二つのローラ部１６、１７間で通電状態となり、冷却部１８の変化した温度状態を皮膚に冷感として与えながら、皮膚に通電に伴う刺激を与えられることから、冷却部１８の温度の影響を受けて変化する皮膚に通電による刺激を与えて、効率よく皮膚に対し通電の効果を与えられると共に、皮膚への通電と皮膚の冷却の実行が、二つのローラ部１６、１７を皮膚に接触させるようにすれば可能であり、使い勝手も優れる。
【００５４】
なお、前記実施形態に係る美容装置において、ローラ通電及び冷却モードで、ローラ部１６、１７を皮膚７０に接触させると、ローラ部１６、１７間の冷却部１８も皮膚７０と接触する構成としているが、これに限らず、ローラ部１６、１７が皮膚７０に接触した状態で、ローラ部より奥まった位置の冷却部は、その温度変化した状態が空間を介して皮膚７０に伝わり、皮膚７０を冷却可能な程度に皮膚７０に接近していればよく、皮膚と接触しなくてもかまわない。
【００５５】
また、前記実施形態に係る美容装置において、ローラ部１６、１７は皮膚７０との接触による刺激の発生を促すよう、表面に凹凸を有する形状として形成される構成としているが、これに限らず、皮膚への通電性能を重視してローラ部と皮膚との接触面積が十分確保されるように、ローラ部の外形を単純な円筒面状に形成する構成としてもかまわない。ただし、ローラ部は意図的に皮膚と接触させるものであり、ローラ部が刺激付与部として用いられる点については変わらない。
【００５６】
また、前記実施形態に係る美容装置においては、ローラ部と冷却部の組合せとは別に、独立したヘッド部を配設して、イオン導入等に用いる構成としているが、これに限らず、傾動腕部における冷却部を挟む二つのローラ部の一方又は両方の位置に、ローラ部に代えて、イオン導入やクレンジング等にも使用可能な電極を配設するようにしてもよい。この場合、電極は、直接皮膚に接触して通電に用いられる他、電極表面に配置した多孔質被覆体を挟んで皮膚に近付いた状態、すなわち多孔質被覆体は皮膚に接触しているが電極自体は皮膚に接触していない状態で、多孔質被覆体中の電解質を介した通電への使用にも対応できる。この電極は通電のために直接又は多孔質被覆体を介して意図的に皮膚と接触して、皮膚に接触圧や通電に係る刺激を与えるものであり、ローラ部に代わる刺激付与部となっている。
【００５７】
また、前記実施形態に係る美容装置において、ローラ部１６、１７間には変温部として冷却部１８を配設し、ローラ部１６、１７を皮膚７０に接触させた際に、冷却部１８も皮膚７０と弱い接触圧で接触して皮膚を冷却可能な構成としているが、これに限らず、変温部を皮膚の冷却だけでなく皮膚の加温も行えるものとし、変温部を用いて皮膚の加温と冷却を切り替えて実行可能な構成とすることもできる。
【００５８】
この場合、変温部での加温のための構造としては、例えば、前記冷却部と同様の表面材内方に通電により発熱する公知のヒータを配設して、ヒータから変温部表面材側への熱伝導が生じる構成とすることができる。変温部は、ヒータにより必要に応じ温められて、体温以上の所定温度まで昇温することとなる。詳細には、ヒータは、制御部１９と導線を介して電気的に接続され、必要に応じて通電されて制御部１９であらかじめ設定された温度まで昇温し、さらに所定時間その温度を維持するよう制御される構成である。
【００５９】
こうした変温部を用いて、例えば、顔等の皮膚の加温を所定時間（例えば、約３分間）継続した後、冷却を所定時間（例えば、加温の場合と同じ継続時間）継続することで、皮膚に通常の状況では生じ得ない大きな温度変化を生じさせ、血流の変化を促し、皮膚下筋肉の緊張状態も変化させて、皮膚のたるみの解消、いわゆるリフトアップが図れる。そして、このような、手や機器による皮膚へのマッサージで得られるものと同様の効果が、変温部を皮膚に軽く当てて加温と冷却を行わせるだけで効率よく得られることとなり、使用者の使い勝手の面でも優れたものとなる。
【００６０】
また、前記実施形態に係る美容装置においては、ローラ部１６、１７間の通電と共に冷却部１８による皮膚７０の冷却を実行する構成としているが、これに限らず、ローラ部を皮膚に接触させて冷却部も皮膚に接触可能となっている状態で、ローラ部間の通電を伴わずに、冷却部で皮膚の冷却のみを行えるモードを備える構成とすることもでき、冷却による皮膚、特に毛穴の引き締め等効果を重点的に得たい場合に適する。さらに、ヘッド部１２を所定温度に加熱してヘッド部から皮膚に温熱を付与可能な構成とし、ヘッド部と冷却部を使用者の操作で皮膚に交互に接触させるようにして、皮膚に対する加温と冷却を交互に実行して皮膚に温冷の温度変化を生じさせるようにすることもできる。
【００６１】
この場合、加温のための構造としては、ヘッド部１２の表面材内方に通電により発熱する公知のヒータを配設して、ヒータからヘッド部１２表面材側への熱伝導が生じるようにし、ヒータによりヘッド部１２が必要に応じ温められて体温以上の所定温度まで昇温する構成とする。詳細には、ヒータは、制御部１９と導線を介して電気的に接続され、必要に応じて通電されて制御部１９であらかじめ設定された温度まで昇温し、さらに所定時間その温度を維持するよう制御されることとなる。ただし、ヒータとヘッド部１２との間は絶縁されて電気的な接続はなく、ヘッド部１２へのイオン導入等に係る通電とヒータへの通電とが相互に影響を与えないものとされる。
【００６２】
ヘッド部による加温から冷却部による冷却への移行、あるいは逆の冷却から加温への移行操作は、使用者が適切なタイミングで行えるよう、操作を行うべき時点で、発光部の点滅や、音声出力部からの案内音又は音声の出力、美容装置側からのデータ送信を受けたスマートフォン等の表示画面付端末における案内画像表示等による報知を行うようにしてもよく、使用者の最適なタイミングでの操作を促して温度変化に基づく効果を最大限に発揮させられる。
【００６３】
さらに、前記実施形態に係る美容装置において、ローラ部１６、１７に挟まれた中間領域に変温部としての冷却部１８を配設し、ローラ部１６、１７間の通電と冷却部１８による冷却を同時に実行する構成としているが、これに限らず、イオン導入やクレンジング等に用いる電極で且つ別の刺激付与部としてのヘッド部の近傍に、温度変化して周囲と異なる温度状態で皮膚に接近又は接触する変温部を設ける構成とすることもでき、イオン導入やクレンジングなどと同時に冷却又は加温が行えることとなる。また、ヘッド部やローラ部に代えて用いられるか、併用する刺激付与部として、通電を前提とするもの以外の刺激等で他の美容の効果を得るための機構、例えば、ＬＥＤの光を当てることで皮膚の細胞の活性化と温熱効果を与える機構や、ローラの接触による皮膚への直接的な刺激でマッサージ効果を与える機構、超音波によりマッサージ効果と温熱効果を与える機構等を備えると共に、こうした機構の近傍に冷却部を設けて、前記機構を用いる際に、並行して皮膚を冷却して相乗効果を得る構成とすることもできる。
【符号の説明】
【００６４】
１          美容装置
１１        本体部
１１ａ      把持部
１１ｂ      操作部
１２        ヘッド部
１３        傾動腕部
１４        補助電極部
１５ａ      電源スイッチ
１５ｂ      モード切替スイッチ
１５ｃ      強弱切替スイッチ
１６、１７  ローラ部
１８        冷却部
１９        制御部
７０        皮膚
【図１】
2015029844.tif 000003
【図２】
2015029844.tif 000004
【図３】
2015029844.tif 000005
【図４】
2015029844.tif 000006
【図５】
2015029844.tif 000007
【図６】
2015029844.tif 000008
【図７】
2015029844.tif 000009
【図８】
2015029844.tif 000010
【図９】
2015029844.tif 000011